(57)【要約】  【課題】HDTVとSDTVのようにサンプリング周波数が異なるTV方式の映像を記録再生できるビデオカメラにおいて、記録されたHDTV映像とSDTV映像を連続で再生する時、HDTV映像とSDTV映像が切替わる箇所で、TVの映像が大きく乱れるという問題がある。  【解決手段】HDTV、SDTVいずれかのTV方式を指定するTV方式指定手段１と、記録再生媒体５に記録された映像データが、TV方式指定手段１で指定したTV方式と一致するかどうかを判断し、指定したTV方式の映像データを出力するTV方式判別手段７と、出力された映像データを再生する再生手段８と、再生する画像を出力、表示する表示手段９を備える。【選択図】  図1
2007110309.tif 000002
【特許請求の範囲】
【請求項１】
TV方式を指定するTV方式指定手段と、
前記TV方式指定手段で指定した指定TV方式に対応したサンプリング周波数のシステムクロックを発生するシステムクロック発生手段と、
前記システムクロックを用いて前記指定TV方式の画像を撮像する撮像手段と、
前記撮像した画像に信号処理を施し、記録再生媒体に記録する記録データに変換する記録手段と、
前記記録再生媒体の前記記録データをデータとして読み出すデータ読出手段と、
前記データが前記指定TV方式であるか否かを判断するTV方式判別手段と、
前記TV方式判別手段の判別が前記指定TV方式に合致したデータを、前記システムクロックを用いて再生する再生手段と、
前記再生手段が再生する画像を出力、表示する表示手段と
を備えることを特徴とする映像記録再生装置。
【発明の詳細な説明】
【技術分野】
【０００１】
本発明は、サンプリング周波数が異なる映像を撮影し、再生する映像記録再生装置に関するものである。
【背景技術】
【０００２】
近年、高品位TV（以後、HDTV）放送の拡大に伴うHDTV放送対応TVの急激な普及により、ビデオカメラ業界においてHDTV映像を記録できる規格としてHDV規格が制定され、HDV規格に対応したビデオカメラが商品化されている。このようなHDTV映像を記録できるビデオカメラにおいては、市場にある従来の標準TV方式（以後、SDTV）放送を受信、表示するTVに配慮して、HDTV映像だけでなく、従来のSDTV映像も記録できる。しかしながらHDTV映像とSDTV映像の両方に対応するためには、それぞれのサンプリング周波数が、約74MHz（NTSCでは74.18MHz、PALでは74.25MHz）と13.5MHzと大きく異なるために、例えば特開平７−２２６８７６に示すように、異なる周波数を発生する発生手段を必要とする。HDTV映像とSDTV映像が記録されている記録再生媒体を連続して再生する際、HDTV映像とSDTV映像それぞれのサンプリング周波数が異なるため、既に商品化された装置では、HDTV映像とSDTV映像が切替わる箇所で、TVの映像が大きく乱れるという問題がある。
【０００３】
この課題を回避するために、非特許文献１に示す機器では、HDTV映像とSDTV映像の切替わり時点で、映像出力を止める対策を行っている。
【特許文献１】特開平７−２２６８７６号公報
【非特許文献１】ソニー社  ＨＤＲ−ＨＣ１  取扱説明書  p.84
【発明の開示】
【発明が解決しようとする課題】
【０００４】
しかしながら、上記対策では、HDTV映像とSDTV映像の切替わり時点で映像出力を止める処理を行うことによって、切替わり時点でのTV映像の大きな乱れは回避できるものの、映像出力を止めた状態から映像出力を再開する瞬間に映像が大きく乱れるため、サンプリング周波数の変更に伴う映像の乱れの発生は回避できないという問題があった。
【０００５】
本発明は上記問題点に鑑み、ユーザーが指定したTV方式のみを記録し、再生することにより、HDTV映像とSDTV映像の切替わりを無くすことで、再生中にTVの映像が大きく乱れることがない映像記録再生装置を提供することを目的とする。
【課題を解決するための手段】
【０００６】
上記課題を解決するために本発明の映像記録再生装置は、TV方式を指定するTV方式指定手段と、前記TV方式指定手段で指定した指定TV方式に対応したサンプリング周波数のシステムクロックを発生するシステムクロック発生手段と、前記システムクロックを用いて前記指定TV方式の画像を撮像する撮像手段と、前記撮像した画像に信号処理を施し、記録再生媒体に記録する記録データに変換する記録手段と、前記記録再生媒体の前記記録データをデータとして読み出すデータ読出手段と、前記データが前記指定TV方式であるか否かを判断するTV方式判別手段と、前記TV方式判別手段の判別が前記指定TV方式に合致したデータを、前記システムクロックを用いて再生する再生手段と、前記再生手段が再生する画像を出力、表示する表示手段とを備える。
【発明の効果】
【０００７】
これにより、ユーザーが指定したTV方式の映像のみを記録、再生するため、再生中にHDTV映像とSDTV映像の切り替わりが発生せず、さらに、記録モードと再生モードを切り替えた際にも、HDTV映像とSDTV映像の切り替わりが発生しないようにすることによって、HDTV映像及びSDTV映像の記録、再生による映像の乱れを回避することができるものである。
【発明を実施するための最良の形態】
【０００８】
本発明における映像記録再生装置の実施の形態を、図面を用いて説明する。
【０００９】
図１は、本発明の映像記録再生装置の一実施の形態におけるブロック図である。映像記録再生装置１０は、ユーザーによりHDTV映像、SDTV映像いずれかのTV方式を指定するTV方式指定手段１、TV方式にあったシステムクロックを発生するシステムクロック発生手段２、映像を撮像する撮像手段３、撮像した映像を記録するための記録手段４、映像を記録する記録再生媒体５、記録再生媒体に記録されたデータを読み出すデータ読出手段６、読み出した映像データのTV方式を判別するTV方式判別手段７、記録された映像を再生する再生手段８、再生する画像を表示する表示手段９を備える。
【００１０】
TV方式指定手段１は、ユーザーが指定したHDTV映像、SDTV映像いずれかのTV方式情報を、システムクロック発生手段２及びTV方式判別手段７に対して入力する。システムクロック発生手段２は、入力されたTV方式情報に対応したサンプリング周波数のシステムクロックを出力し、出力されたシステムクロックは、撮像手段３、記録手段４、及び再生手段８に入力される。撮像手段３は、入力されたシステムクロックを基準に、ユーザーが指定したTV方式に対応した映像を撮像し、映像出力する。出力された映像信号は、記録手段４に入力され、記録手段４は、入力されたシステムクロックを基準に信号処理を行い、映像信号を記録する形式に変換した映像データを出力する。TV方式判別手段７は、読み出した映像データのTV方式がTV方式指定手段１で指定されたTV方式情報と一致しているか否かを判断し、一致した映像データのみを出力し、再生手段８に入力する。再生手段８は、入力されたシステムクロックを基準に、映像データの信号処理を行い、映像信号に変換し出力する。
【００１１】
次に、本発明の映像記録再生装置における録画時の動作について説明する。ユーザーは、録画および再生の操作時を除き、メニュー画面等による操作により、HDTV映像またはSDTV映像のいずれかを指定する。メニュー画面による操作は、本発明のTV方式指定手段１の一例であるが、これに限るものではなく、切替えボタンによる操作等でも良い。
【００１２】
ユーザーによる録画開始操作により、録画動作が開始される。システムクロック発生手段２は、ユーザーが事前に指定したTV方式に対応したサンプリング周波数のシステムクロック（HDTV映像指定時は約74MHz、SDTV映像指定時は13.5MHz）を出力する。撮像手段３は、入力されたシステムクロックを基準にして、HDTV映像、またはSDTV映像を撮像し、撮像した映像信号を記録手段４に対して出力する。記録手段４は、映像信号に対する信号処理を行って映像データに変換し、記録再生媒体５に記録する。
【００１３】
記録再生媒体５としてテープメディアを用い、HDTV映像データ２１とSDTV映像データ２２を交互に記録したデータの例を図２に示す。テープメディア上には、HDTV映像データ２１とSDTV映像データ２２、その境界に境界情報２３を連続して記録する。境界情報２３は、境界以降の映像データに対するTV方式識別情報を持つ。境界情報２３の一例を図３に示す。境界情報２３にはMPEG2のシーケンスヘッダ情報に対応する情報を格納する。図３における水平解像度２４及び垂直解像度２５に、撮像時の映像信号の情報を格納し、この情報によりTV方式の識別が可能となる。
【００１４】
記録再生媒体５として、SDカード等のランダムアクセス可能なメディアを用いた例を図４に示す。メディア上には、HDTV映像データ２１、またはSDTV映像データ２２を記録操作毎に別々に記録する。その際、映像データに映像サイズなどTV方式が識別できる識別情報３１を記録する。識別情報３１の一例を図５に示す。図５における水平解像度２４及び垂直解像度２５に、撮像時の映像信号の情報を格納し、この情報によりTV方式の識別が可能となる。
【００１５】
本発明の映像記録再生装置を用いた再生時の動作について説明する。ユーザーによる再生開始操作により、再生動作が開始される。データ読出手段６は、記録再生媒体５がテープメディアの時は、記録された映像データと境界情報２３を記録されている順に読み出し、一方、記録再生媒体５がランダムアクセス可能なメディアの時には、記録された映像データと識別情報３１を記録されている順に読み出し、それぞれ読み出したデータをTV方式判別手段７に出力する。
【００１６】
TV方式判別手段７は、記録再生媒体５がテープメディアの時は境界情報２３を用い、記録再生媒体５がランダムアクセス可能なメディアの時には識別情報３１を用いて、映像データのTV方式を判別し、ユーザーが事前に指定したTV方式であるか否かを判断する。ユーザーが指定したTV方式であれば映像データを出力し、そうでなければ次のデータまでスキップする処理を行う。ランダムアクセス可能なメディアの際には、スキップ処理を高速に行えるため、テープメディアの場合と比べて、映像データの切替わりがスムーズになる。
【００１７】
TV方式の判別は、境界情報２３および識別情報３１上の水平解像度および垂直解像度の値を用いて行う。判別方法の一例として、水平解像度と垂直解像度の値がそれぞれ１９２０と１０８０、あるいは１４４０と１０８０、あるいは１２８０と７２０の時はHDTV映像と判断し、それ以外の時はSDTV映像と判断する。
【００１８】
システムクロック発生手段２は、ユーザーが事前に指定したTV方式に対応したサンプリング周波数のシステムクロック（HDTV映像指定時は約74MHz、SDTV映像指定時は13.5MHz）を出力し、再生手段８は、入力されたシステムクロックを基準に信号処理を行い映像信号に変換し、表示手段９において映像を表示する。
【００１９】
これにより、記録再生媒体にHDTV映像とSDTV映像がそれぞれ記録されていても、いずれか一方のみを再生することになるため、再生中にサンプリング周波数が切り替わらず、表示手段上の映像信号が乱れることがない。
【００２０】
さらに、記録動作から再生動作、またはその逆の切り替えを行った際にも、システムクロックを切り替えることがないので、同様の効果が得られる。
【００２１】
さらに、図６に映像データのＴＶ方式を一括管理する管理情報を記録する例を示す。記録再生媒体５に記録する映像データ４２のTV方式を一括管理する管理情報４１を記録する。管理情報４１は、メディアオブジェクト情報、水平解像度及び垂直解像度に関して、記録した映像データ数分の情報を持つ。データ読出手段６において、記録再生媒体５に記録された管理情報４１上の対応する映像データの水平解像度及び垂直解像度を読み出し、TV方式判別手段７において、データ読出手段６を介して、ユーザーが指定したTV方式の映像データ４２を読み出し、出力することによって、同様の効果が得られる。
【００２２】
以上のように本実施の形態によれば、HDTV映像とSDTV映像のように、サンプリング周波数が異なるTV方式映像を記録できるデジタルビデオカメラにおいて、再生中、および記録動作から再生動作への切替、またはその逆の動作時、ＴＶへの映像出力が乱れることがない。
【産業上の利用可能性】
【００２３】
以上説明したように本発明によれば、TV方式指定手段で指定された映像のみを選択するTV方式判別手段を設けることにより、再生中、および記録動作から再生動作への切替、またはその逆の動作時、ＴＶへの映像出力が乱れることがない映像記録再生装置を提供でき、HDTV映像とSDTV映像のようにサンプリング周波数が異なる複数のTV方式の映像を記録、再生できるデジタルビデオカメラに対して適用すれば、その実用的効果は大きい。
【図面の簡単な説明】
【００２４】
【図１】本発明の映像記録再生装置における一実施形態のブロック図
【図２】本発明における一実施形態の記録データを示す概念図
【図３】本発明における一実施形態の境界情報を示す概念図
【図４】本発明における他の実施形態の記録データを示す概念図
【図５】本発明における他の実施形態の識別情報を示す概念図
【図６】本発明における他の実施形態の管理情報を示す概念図
【符号の説明】
【００２５】
１    TV方式指定手段
２    システムクロック発生手段
３    撮像手段
４    記録手段
５    記録再生媒体
６    データ読出手段
７    TV方式判別手段
８    再生手段
９    表示手段
１０  映像記録再生装置
２１  HDTV映像データ
２２  SDTV映像データ
２３  境界情報
２４  水平解像度
２５  垂直解像度
３１  識別情報
４１  管理情報
４２  映像データ
【図１】
2007110309.tif 000003
【図２】
2007110309.tif 000004
【図３】
2007110309.tif 000005
【図４】
2007110309.tif 000006
【図５】
2007110309.tif 000007
【図６】
2007110309.tif 000008